(57)【特許請求の範囲】
【請求項１】
下記式（Ｉ）
【化１】
0004810224.tif 000007
（式中、Ｒは炭素数３〜５のアルキル基。）で表されるフタルイミド化合物と、界面活性剤とが、含まれていることを特徴とする繊維製品洗浄剤。
【請求項２】
安息香酸ベンジル及び／または蛍光染料を含有することを特徴とする請求項１に記載の繊維製品洗浄剤。
【請求項３】
キレート化剤、アルカリ剤及び／またはシリコーン樹脂消泡剤が、含まれていることを特徴とする請求項１に記載の繊維製品洗浄剤。
【発明の詳細な説明】
【技術分野】
【０００１】
本発明は、繊維製品の洗浄に使用する繊維製品洗浄剤に関するものである。
【背景技術】
【０００２】
従来、リネンサプライでは被洗物（シーツ・ピロケース等）素材として綿が用いられることが多かったが、近年では被洗物の耐久性（耐洗回数）の優れるポリエステル並びにその混紡布が用いられることが多くなった。
【０００３】
しかし、ポリエステル並びにその混紡布は耐久性に優れるのだが、使用・洗浄を繰り返すことにより汚れが蓄積され、従来の綿素材よりも白度低下が著しい傾向がある。洗浄時に、トリポリリン酸をはじめとする分散剤等やノニオン活性剤を用いても汚れの除去が困難であり、その対策として洗剤量を増やし、強アルカリの過酷な条件で洗浄が行われているが、効果に乏しく単に被洗物の表面を削り取る様な処理がされている。
【０００４】
木綿等の親水性繊維とポリエステル等の疎水性繊維の双方に効果のある洗浄剤として、特許文献１に、下記式
Ｒ１−ＮＨ−Ｒ２−ＮＨ
で表される化合物とＮＨ基と反応する官能基を少なくとも２個有する化合物とを反応させて得られる架橋体からなる汚れ放出剤が開示されている。
【０００５】
【特許文献１】特開２００４−１９７２４１号公報
【発明の開示】
【発明が解決しようとする課題】
【０００６】
本発明は、上記のような問題について、これを解消しようとするものであり、ポリエステル並びにそれからなる混紡繊維等の洗浄を行う際に被洗物本来の白度（白さ）を保ち、また損なわれた白度の低下を回復することの出来る繊維製品洗浄剤の提供を目的とする。
【課題を解決するための手段】
【０００７】
前記の目的を達成するためになされた特許請求の範囲の請求項１に記載された発明は、下記式（Ｉ）
【化１】
0004810224.tif 000002
（式中、Ｒは炭素数３〜５のアルキル基。）で表されるフタルイミド化合物と、界面活性剤とが、含まれていることを特徴とする繊維製品洗浄剤である。
【００１０】
請求項２に記載された発明は、安息香酸ベンジル及び／または蛍光染料を含有することを特徴とする請求項１に記載の繊維製品洗浄剤である。
【００１１】
請求項３に記載された発明は、キレート化剤、アルカリ剤及び／またはシリコーン樹脂消泡剤が、含まれていることを特徴とする請求項１に記載の繊維製品洗浄剤である。
【発明の効果】
【００１２】
本発明の繊維製品洗浄剤は、洗浄強化剤としてフタルイミド化合物を添加することにより、特にポリエステル並びにそれからなる混紡繊維等の洗浄を行う際に被洗物本来の白度（白さ）を保ち、また損なわれた白度の低下を回復することが出来る。
【００１３】
さらに安息香酸ベンジルおよび／または蛍光染料を繊維製品洗浄剤に配合することで白度低下した被洗物に対して、より優れた洗浄性を発揮する。
【発明を実施するための最良の形態】
【００１４】
本発明の繊維製品洗浄剤は、繊維製品を洗浄する際に、使用するものである。すなわち、繊維製品を洗濯機中または手洗いによって、浸漬又は洗浄し、水で充分すすいだ後、脱水乾燥させるという通常の洗浄に用いることによって、被洗物本来の白度（白さ）を保ち、また損なわれた白度の低下を回復することが出来る。
【００１５】
本発明の繊維製品洗浄剤中、洗浄強化剤として含まれるフタルイミド化合物は、下記式（Ｉ）
【化２】
0004810224.tif 000003
で表され、式中、Ｒはプロピル基、ブチル基、ペンチル基のような炭素数３〜５のアルキル基が挙げられる。特にブチル基が好ましい。
【００１６】
また、洗浄強化剤は、安息香酸ベンジル及び／または蛍光染料を含有することで、白度低下した被洗物に対して、より優れた洗浄性を発揮する。安息香酸ベンジル及び／または蛍光染料を、０．０５〜１重量部含むことが好ましい。蛍光染料としては、ビス−（トリアジニルアミノ）−スチルベンジスルホン酸誘導体、ビスベンズオキサゾールチオフェン誘導体が挙げられる。
【００１７】
洗浄強化剤は界面活性剤等に添加して、洗浄剤にして用いることが好ましい。界面活性剤としては、非イオン性界面活性剤、陰イオン性界面活性剤、両性界面活性剤、陽イオン性界面活性剤が挙げられる。
【００１８】
本発明の洗浄剤は、洗浄強化剤を２０〜４０重量部、界面活性剤を５〜３０重量部含むことが好ましい。
【００１９】
洗浄剤は、キレート化剤、蛍光染料、アルカリ剤、シリコーン系消泡剤等の添加剤が添加されていてもよい。
【００２０】
本発明の洗浄剤は、ポリエステル及びその混紡等の繊維製品の洗浄に用いることができる。
【実施例】
【００２１】
以下、本発明の実施例を詳細に説明する。
【００２２】
本発明を適用する安息香酸ベンジルを添加した洗浄剤を実施例１〜８に、本発明を適用外の洗浄剤を比較例１に示す。
【００２３】
（実施例１）
フタルイミド化合物１としてＮ−ブチルフタルイミド５０重量部、安息香酸ベンジル２５重量部、硫酸化ひまし油１５重量部にイオン交換水を加えて、１００重量部になるように調整し、混合して、洗浄剤を得た。
【００２４】
（実施例２）
フタルイミド化合物１に代えて、フタルイミド化合物２としてＮ−プロピルフタルイミドを使用したこと以外は実施例１と同様にして、洗浄剤を得た。
【００２５】
（実施例３）
フタルイミド化合物１に代えて、フタルイミド化合物３としてＮ−イソプロピルフタルイミドを使用したこと以外は実施例１と同様にして、洗浄剤を得た。
【００２６】
（実施例４）
フタルイミド化合物１を５０重量部、安息香酸ベンジル２５重量部、硫酸化ひまし油１５重量部、ノニオン活性剤１としてポリオキシアルキレンアルキルエーテル１０重量部、ノニオン活性剤２としてポリオキシアルキレントリデシルエーテル１０重量部にイオン交換水を加えて、実施例１と同様に調整し、混合して、洗浄剤を得た。
【００２７】
（実施例５）
フタルイミド化合物１に代えて、フタルイミド化合物２を使用したこと以外は実施例４と同様にして、洗浄剤を得た。
【００２８】
（実施例６）
フタルイミド化合物１に代えて、フタルイミド化合物３を使用したこと以外は実施例４と同様にして、洗浄剤を得た。
【００２９】
（実施例７）
フタルイミド化合物１を１０重量部、安息香酸ベンジルを５重量部、硫酸化ひまし油を３重量部、ノニオン活性剤１を４０重量部にイオン交換水を加えて、実施例１と同様に調整し、混合して、洗浄剤を得た。
【００３０】
（実施例８）
ノニオン活性剤１を３０重量部、ノニオン活性剤２を１０重量部使用したこと以外は実施例７と同様にして、洗浄剤を得た。
【００３１】
（比較例１）
安息香酸ベンジル２５重量部、硫酸化ひまし油１５重量部、ノニオン活性剤１を４０重量部にイオン交換水を加えて、実施例１と同様に調整し、混合して、洗浄剤を得た。
【００３２】
本発明を適用する蛍光染料を添加した洗浄剤を実施例９〜１２に、本発明を適用外の洗浄剤を比較例２に示す。
【００３３】
（実施例９）
フタルイミド化合物１を５重量部、ノニオン活性剤１を５重量部、ノニオン活性剤２を５重量部、ニトリロ三酢酸を１０重量部、硫酸ナトリウムを１０重量部、石鹸５重量部、蛍光染料１としてビス−（トリアジニルアミノ）−スチルベンジスルホン酸誘導体０．３重量部、蛍光染料２としてビスベンズオキサゾールチオフェン誘導体０．３重量部に炭酸ナトリウムを加えて、実施例１と同様に調整し、混合して、洗浄剤を得た。
【００３４】
（実施例１０）
フタルイミド化合物１に代えて、フタルイミド化合物２を使用したこと以外は実施例９と同様にして、洗浄剤を得た。
【００３５】
（実施例１１）
フタルイミド化合物１に代えて、フタルイミド化合物３を使用したこと以外は実施例９と同様にして、洗浄剤を得た。
【００３６】
（実施例１２）
フタルイミド化合物１を１０重量部とノニオン活性剤を１０重量部使用したこと以外は実施例９と同様にして、洗浄剤を得た。
【００３７】
（比較例２）
フタルイミド化合物１を使用しなかったこと以外は実施例１２と同様にして、洗浄剤を得た。
【００３８】
（洗浄力評価試験）
実施例１〜８及び比較例１の洗浄剤をそれぞれ５ｇと洗浄力判定用標準洗剤５ｇを用いて、ＪＩＳ規格（JIS C 9811、JIS K 3362、JIS K 3371）を参考に、洗浄力評価試験を行った。
【００３９】
洗浄汚染布（５ｃｍ×５ｃｍ）は、下記の２種類を用いて、試験を行った。
（ａ）ＥＭＰＡ１１７（ＥＭＰＡ社：汚染布Ｎｏ．ＥＭＰＡ１１７）
（ｂ）カーボン汚染（JIS C9811付属書３を参照し、カーボン量５ｇ変更して作成）
【００４０】
洗浄力評価試験は以下の手順で行った。
【００４１】
（１）ターゴトメーター（（株）大栄科学精器製作所）を２５℃にセットし、イオン交換水１０００ｍｌ、洗浄汚染布各５枚（計１０枚）をポットにいれ１００ｒｐｍで１０分間攪拌した。
【００４２】
（２）汚染布をポットより取り出し十分に濯いだ後、手で水分を絞り、当て布をしてアイロンで乾燥させた。
【００４３】
（３）乾燥した汚染布の白度を測色色差計（日本電色工業社）で測定した。
【００４４】
（４）以上の方法により測定された値と下記算出式により洗浄率及び洗浄力向上指数を求めた。
【００４５】
【数１】
0004810224.tif 000004
【００４６】
洗浄力向上指数１０２以上を５、１０１以上１０２以下を４、１００以上１０１以下を３、９９以上１００以下を２、９９以下を１として５段階で評価した。結果を表１に示す。
【００４７】
また、実施例９〜１２及び比較例２、洗浄力判定用標準洗浄剤をそれぞれ２ｇ用いて、同様に洗浄力評価試験を行った。結果を表２に示す。
【００４８】
【表１】
0004810224.tif 000005
【００４９】
【表２】
0004810224.tif 000006
【００５０】
表１及び２から明らかなとおり、本発明を適用する実施例１〜１２の洗浄剤は、比較例１および２と比較して、洗浄力に優れたものであった。特にカーボンについて優れた洗浄力が見られた。